(57)【要約】【課題】非接触ＩＣカードリーダライタが送信するＲＦ信号における信号データの送信タイミングを外部から取得することが可能な信号測定システムを提供する。【解決手段】非接触ＩＣカードリーダライタ１００の筐体１１０外面に備えた発光部１２０は、信号データの送信タイミングに同期して点滅する発光信号Ｈを外部に出力し、測定器５００は、アンテナ１０４から非接触ＩＣカード２００に送信されるＲＦ信号Ｆを測定コイル３００により取得するとともに、受光装置４００により発光信号Ｈを受光して前記信号データの送信タイミングと同期する信号を含む同期用信号Ｓとして取得し、取得した該同期用信号Ｓをトリガとして用いて、ＲＦ信号Ｆに含まれている前記信号データを抽出した結果に基づいて、非接触ＩＣカードリーダライタ１００と非接触ＩＣカード２００との間の前記信号データを測定する。【選択図】        図１
2015041329.tif 000002
【特許請求の範囲】
【請求項１】
非接触ＩＣカードリーダライタと非接触ＩＣカードとの間で送受信されるＲＦ（Radio  Frequency）信号を取得することにより、前記非接触ＩＣカードリーダライタと前記非接触ＩＣカードとの間でやり取りされる信号データを測定する測定器を備えた信号測定システムであって、
前記非接触ＩＣカードリーダライタは、前記信号データの送信タイミングに同期して点滅する発光信号を外部に出力する発光部を筐体外面に備え、
前記測定器は、前記発光部が出力する前記発光信号を受光装置で受光して電気信号に変換し、前記信号データの送信タイミングと同期する信号を含む同期用信号として該電気信号を該受光装置から出力し、前記受光装置から出力される前記同期用信号をトリガとして用いて、前記ＲＦ信号に含まれている前記信号データを抽出し、抽出した信号データに基づいて、前記非接触ＩＣカードリーダライタと前記非接触ＩＣカードとの間の前記信号データを測定することを特徴とする信号測定システム。
【請求項２】
前記発光部から外部に出力する前記発光信号を生成する発光素子として、ＬＥＤ（Light  Emitting  Diode）、有機ＥＬ（Organic  Electro-Luminescence）、または、電球のいずれかを用いることを特徴とする請求項１に記載の信号測定システム。
【請求項３】
前記測定器が、前記非接触ＩＣカードリーダライタと前記非接触ＩＣカードとの間で送受信される前記ＲＦ信号を取得する手段として、前記非接触ＩＣカードリーダライタから外部に送信される前記ＲＦ信号によって電圧が誘起される位置に配置した測定コイルを接続してなることを特徴とする請求項１または２に記載の信号測定システム。
【請求項４】
非接触ＩＣカードとの間でやり取りする信号データをＲＦ（Radio  Frequency）信号に変調して送受信する非接触ＩＣカードリーダライタであって、前記信号データの送信タイミングに同期して点滅する発光信号を外部に出力する発光部を筐体外面に備えてなることを特徴とする非接触ＩＣカードリーダライタ。
【請求項５】
前記発光部から外部に出力する前記発光信号を生成する発光素子として、ＬＥＤ（Light  Emitting  Diode）、有機ＥＬ（Organic  Electro-Luminescence）、または、電球のいずれかを用いることを特徴とする請求項４に記載の非接触ＩＣカードリーダライタ。
【請求項６】
非接触ＩＣカードリーダライタと非接触ＩＣカードとの間で送受信されるＲＦ（Radio  Frequency）信号を測定器により取得することにより、前記非接触ＩＣカードリーダライタと前記非接触ＩＣカードとの間でやり取りされる信号データを測定する信号測定方法であって、
前記非接触ＩＣカードリーダライタは、筐体外面に備えられた発光部から、前記信号データの送信タイミングに同期して点滅する発光信号を外部に出力させ、
前記測定器は、前記発光部が出力する前記発光信号を受光して電気信号に変換して、前記信号データの送信タイミングと同期する信号を含む同期用信号を生成し、さらに、生成した前記同期用信号をトリガとして用いて、前記ＲＦ信号に含まれている前記信号データを抽出し、抽出した該信号データに基づいて、前記非接触ＩＣカードリーダライタと前記非接触ＩＣカードとの間の前記信号データを測定することを特徴とする信号測定方法。
【請求項７】
前記発光部から外部に出力する前記発光信号を生成する発光素子として、ＬＥＤ（Light  Emitting  Diode）、有機ＥＬ（Organic  Electro-Luminescence）、または、電球のいずれかを用いることを特徴とする請求項６に記載の信号測定方法。
【請求項８】
前記測定器が、前記非接触ＩＣカードリーダライタと前記非接触ＩＣカードとの間で送受信される前記信号データを取得する手段として、前記非接触ＩＣカードリーダライタから外部に送信される前記ＲＦ信号によって電圧が誘起される位置に配置した測定コイルを接続してなることを特徴とする請求項６または７に記載の信号測定方法。
【発明の詳細な説明】
【技術分野】
【０００１】
本発明は、信号測定システム、非接触ＩＣカードリーダライタおよび信号測定方法に関する。
【背景技術】
【０００２】
非接触ＩＣカードリーダライタは、非接触ＩＣカードとの間で送受信するための信号データを搬送波に重畳させてＲＦ（Radio  Frequency：無線）信号として送受信する。例えば、特許文献１の特開２０００−２４２７３９号公報には、非接触ＩＣカードが通信可能範囲において近い場合における送受信の電力損失や発熱を低減しかつ通信距離を広げることができる非接触ＩＣカードリーダライタ装置が記載されている。そして、非接触ＩＣカードリーダライタと非接触ＩＣカードとの間の通信不良が発生した場合には、ＲＦ信号によって送受信される信号データを測定するための仕組みが必要である。つまり、ＲＦ信号によって送受信される信号データを測定するための測定器を含む信号測定システムが、必要とされる。前記測定器は、例えば非接触ＩＣカードリーダライタのＲＦ信号によって測定コイルに電圧を誘起させて取り込むことにより、該ＲＦ信号の中に含まれている信号データが非接触ＩＣカードとの間で正常に送受信されているか否かをモニタする。
【０００３】
図５は、非接触ＩＣカードリーダライタが送受信する信号データをモニタするための測定器を付属設置して構成される従来の信号測定システムのシステム構成図である。図５に示すように、従来の信号測定システムにおいては、非接触ＩＣカードリーダライタ１００’の筐体１１０’に設置したアンテナ１０４に近接した位置に測定コイル３００を配置し、非接触ＩＣカードリーダライタ１００’と非接触ＩＣカード２００との間で送受信されるＲＦ信号Ｆによって測定コイル３００に電圧を誘起させ、測定コイル３００に誘起された電圧を測定器５００側に取り込むように構成している。測定器５００’は、測定コイル３００に誘起された電圧から非接触ＩＣカードリーダライタ１００’と非接触ＩＣカード２００との間で送受信される信号データを抽出してモニタすることにより、通信不良の発生の有無を判別することができる。
【先行技術文献】
【特許文献】
【０００４】
【特許文献１】特開２０００−２４２７３９号公報
【発明の開示】
【発明が解決しようとする課題】
【０００５】
図５に示した従来の信号測定システムにおいて、非接触ＩＣカードリーダライタ１００’と非接触ＩＣカード２００との間で送受信されるＲＦ信号Ｆには、信号データの他に、搬送波が含まれている。該搬送波は、非接触ＩＣカード２００の電源供給用としても利用されるので、信号データの有無に関わらず、通信中の状態にある限り、非接触ＩＣカードリーダライタ１００’からは連続して送信されている。したがって、非接触ＩＣカードリーダライタ１００’と非接触ＩＣカード２００との間の通信において通信不良が発生した場合、測定器５００’によって、非接触ＩＣカードリーダライタ１００’と非接触ＩＣカード２００とのいずれの方向からの通信において通信不良が発生しているかを調査しようとする際に、非接触ＩＣカードリーダライタ１００’からの信号データがＲＦ信号Ｆのどのタイミングで送信されているのかを判別することが必要である。
【０００６】
しかし、非接触ＩＣカードリーダライタ１００’からの信号データの生成部位は、筐体１１０’の内部に存在している。非接触ＩＣカードリーダライタ１００’の製造者は、組み立ての最終工程における筐体１１０’のカバーで内部の回路部を覆う前の段階で、内部回路からリード線により、信号データの送信タイミング信号を取り出し、その送信タイミング信号を測定器５００’に入力していた（このリード線は図５には描いてない。）。測定器５００’では、このようにして供給された送信タイミング信号に基づき、測定コイル３００に誘起された電圧から非接触ＩＣカードリーダライタ１００’と非接触ＩＣカード２００との間で送受信される信号データを抽出してモニタすることにより、通信不良の発生の有無を判別していた。他方、非接触ＩＣカードリーダライタ１００’の製造者以外の利用者は、筐体１１０’の外部から、非接触ＩＣカードリーダライタ１００’からの信号データの送信タイミングを検出することは困難である。そこで、非接触ＩＣカードリーダライタ１００’にて生成される信号データを測定しようとする場合には、筐体１１０’を分解して、信号データの生成部位に直接アクセスすることができるようにすることが必要である。しかし、通信不良が発生した場所は、一般に、設備が整っていない場所であり、かかる場所においては、筐体１１０’の分解作業は困難であり、通信不良に対する迅速な対応を行うことが難しい。
【０００７】
（本発明の目的）
本発明は、以上のような事情に鑑みてなされたものであり、非接触ＩＣカードリーダライタの製造者以外であっても、非接触ＩＣカードリーダライタと非接触ＩＣカードとの間の信号データを測定することを可能にするために、非接触ＩＣカードリーダライタと非接触ＩＣカードとの間の通信状態で、非接触ＩＣカードリーダライタに変更等を加えることなく、非接触ＩＣカードリーダライタが送信するＲＦ信号における信号データの送信タイミングを外部から取得することが可能な信号測定システム、非接触ＩＣカードリーダライタおよび信号測定方法を提供することをその目的としている。
【課題を解決するための手段】
【０００８】
前述の課題を解決するため、本発明による信号測定システム、非接触ＩＣカードリーダライタおよび信号測定方法は、主に、次のような特徴的な構成を採用している。
【０００９】
（１）本発明による信号測定システムは、非接触ＩＣカードリーダライタと非接触ＩＣカードとの間で送受信されるＲＦ（Radio  Frequency）信号を取得することにより、前記非接触ＩＣカードリーダライタと前記非接触ＩＣカードとの間でやり取りされる信号データを測定する測定器を備えた信号測定システムであって、前記非接触ＩＣカードリーダライタは、前記信号データの送信タイミングに同期して点滅する発光信号を外部に出力する発光部を筐体外面に備え、前記測定器は、前記発光部が出力する前記発光信号を受光装置で受光して電気信号に変換し、前記信号データの送信タイミングと同期する信号を含む同期用信号として該電気信号を該受光装置から出力し、前記受光装置から出力される前記同期用信号をトリガとして用いて、前記ＲＦ信号に含まれている前記信号データを抽出し、抽出した信号データに基づいて、前記非接触ＩＣカードリーダライタと前記非接触ＩＣカードとの間の前記信号データを測定することを特徴とする。
【００１０】
（２）本発明による非接触ＩＣカードリーダライタは、非接触ＩＣカードとの間でやり取りする信号データをＲＦ（Radio  Frequency）信号に変調して送受信する非接触ＩＣカードリーダライタであって、前記信号データの送信タイミングに同期して点滅する発光信号を外部に出力する発光部を筐体外面に備えてなることを特徴とする。
【００１１】
（３）本発明による信号測定方法は、非接触ＩＣカードリーダライタと非接触ＩＣカードとの間で送受信されるＲＦ（Radio  Frequency）信号を測定器により取得することにより、前記非接触ＩＣカードリーダライタと前記非接触ＩＣカードとの間でやり取りされる信号データを測定する信号測定方法であって、前記非接触ＩＣカードリーダライタは、筐体外面に備えられた発光部から、前記信号データの送信タイミングに同期して点滅する発光信号を外部に出力させ、また、前記測定器は、前記発光部が出力する前記発光信号を受光して電気信号に変換して、前記信号データの送信タイミングと同期する信号を含む同期用信号を生成し、さらに、生成した前記同期用信号をトリガとして用いて、前記ＲＦ信号に含まれている前記信号データを抽出し、抽出した該信号データに基づいて、前記非接触ＩＣカードリーダライタと前記非接触ＩＣカードとの間の前記信号データを測定することを特徴とする。
【発明の効果】
【００１２】
本発明によれば、非接触ＩＣカードリーダライタに変更等加えることなく、非接触ＩＣカードリーダライタが送信するＲＦ信号における信号データの送信タイミングを取得することが可能である。
【図面の簡単な説明】
【００１３】
【図１】本発明に係る信号測定システムのシステム構成の一例を示すシステム構成図である。
【図２】図１の信号測定システムにおける非接触ＩＣカードリーダライタの内部構成の一例を示すブロック構成図である。
【図３】図１の非接触ＩＣカードリーダライタから発光信号を出力する発光部内の具体的な回路構成の一例を示す回路図である。
【図４】図１の非接触ＩＣカードリーダライタの主要な部位から出力される各信号のタイミング関係を説明するためのタイムチャートである。
【図５】非接触ＩＣカードリーダライタが送受信する信号データをモニタするための測定器を付属設置して構成される従来の信号測定システムのシステム構成図である。
【発明を実施するための形態】
【００１４】
以下、本発明による信号測定システム、非接触ＩＣカードリーダライタおよび信号測定方法の好適な実施形態について添付図を参照して説明する。なお、以下の説明においては、本発明による信号測定システム、非接触ＩＣカードリーダライタおよび信号測定方法について説明するが、かかる信号測定方法を制御するための制御ステップをコンピュータにより実行可能な信号測定プログラムとして実施するようにしても良いし、あるいは、信号測定プログラムをコンピュータにより読み取り可能な記録媒体に記録するようにしても良いことは言うまでもない。
【００１５】
（本発明の特徴）
本発明の実施形態の説明に先立って、本発明の特徴についてその概要をまず説明する。本発明は、非接触ＩＣカードリーダライタと非接触ＩＣカードとの間の通信において、信号データを測定し易くし、かつ、使い勝手の良い非接触ＩＣカードリーダライタを実現することを主要な特徴としている。
【００１６】
本発明の具体的な実現手段として、非接触ＩＣカードリーダライタは、筐体外面に発光部を備え、該発光部が、非接触ＩＣカードとの間で通信する信号データの送信タイミングに同期して点滅する発光信号を筐体外部に出力することにより、信号データを測定し易くしている。つまり、発光部は、非接触ＩＣカードリーダライタから非接触ＩＣカードに送信する信号データの送信タイミングに同期して点滅する発光信号、すなわち、該信号データのＨｉｇｈ／Ｌｏｗ状態に応じて点滅する発光信号を、非接触ＩＣカードリーダライタの通信状態を示す信号として筐体外部に出力する。
【００１７】
さらには、非接触ＩＣカードリーダライタから非接触ＩＣカードに送信するＲＦ信号を測定するために設置した測定器には、受光装置を備え、該受光装置は、非接触ＩＣカードリーダライタの筐体外面に備えた発光部から射出される発光信号（点滅する光信号）を受光して、電気信号に変換して、信号データの送信タイミングに同期する信号を含む同期用信号として測定器に対して送信する。受光装置からの同期用信号を受信した測定器は、非接触ＩＣカードリーダライタから送信されるＲＦ信号に含まれる信号データを検知するためのトリガ信号を生成し、該トリガ信号によってＲＦ信号の中から信号データを正確に抽出して、非接触ＩＣカードリーダライタや非接触ＩＣカードの信号データを容易に測定することができ、かつ、使い勝手を向上させることができる。なお、非接触ＩＣカードからの信号データは、非接触ＩＣカードリーダライタの送信タイミングから、所定の時間、ＲＦ信号を監視して測定する。
【００１８】
（本発明の実施形態の構成例）
次に、本発明に係る信号測定システムのシステム構成の一例について図１を参照しながら詳細に説明する。図１は、本発明に係る信号測定システムのシステム構成の一例を示すシステム構成図である。図１に示す信号測定システムは、図５に示した従来の信号測定システムと同様、非接触ＩＣカードリーダライタ１００と非接触ＩＣカード２００と測定器５００とから構成されている。測定器５００は、非接触ＩＣカードリーダライタ１００の筐体１１０に設置されたアンテナ１０４に近接した位置に測定コイル３００を配置し、非接触ＩＣカードリーダライタ１００と非接触ＩＣカード２００との間で送受信されるＲＦ信号Ｆによって、測定コイル３００に電圧を誘起させて取り込むように構成している。
【００１９】
さらに、図１に示す信号測定システムは、図５に示した従来の信号測定システムとは異なり、測定器５００が、測定コイル３００により取り込んだＲＦ信号Ｆの中から非接触ＩＣカードリーダライタ１００と非接触ＩＣカード２００との間で送受信される信号データを抽出することができるように、非接触ＩＣカードリーダライタ１００の筐体１１０の外面に、信号データの送信タイミングと同期して点滅する発光信号Ｈを出力する発光部１２０を設置することによって、送信する信号データの送信タイミングを外部に出力するように構成している。
【００２０】
他方、測定器５００側には、受光装置４００が接続されている。受光装置４００は、非接触ＩＣカードリーダライタ１００の発光部１２０に近接する位置に配置され、発光部１２０から出力される発光信号Ｈを受光して電気信号に変換して同期用信号Ｓとして測定器５００に送信する。測定器５００は、受光装置４００から送信されてくる同期用信号Ｓにより、測定コイル３００から受信したＲＦ信号Ｆから信号データを抽出するためのトリガ信号を生成して、該ＲＦ信号Ｆに含まれている信号データを抽出することができる。また、非接触ＩＣカードからの信号データの測定は、非接触ＩＣカードリーダライタの送信タイミングから、所定の時間、ＲＦ信号を監視することによって抽出することができる。
【００２１】
次に、図１に示した非接触ＩＣカードリーダライタ１００の内部構成について、その一例を、図２を参照しながらさらに詳細に説明する。図２は、図１の信号測定システムにおける非接触ＩＣカードリーダライタ１００の内部構成の一例を示すブロック構成図であり、信号データの送信タイミングを示す情報を外部に表示・出力するという送信タイミング表示機能付き非接触ＩＣカードリーダライタの内部構成についてその一例を示している。
【００２２】
図２に示すように、非接触ＩＣカードリーダライタ１００は、制御部１０１、変調回路１０２、増幅回路１０３、アンテナ１０４、受信回路１０５、および、発光部１２０を少なくとも含んで構成されている。図２の非接触ＩＣカードリーダライタ１００の制御部１０１は、非接触ＩＣカード２００との間の通信中の状態に移行すると、通信中の状態にあることを示す表示信号Ａを発光部１２０に対して出力するとともに、送信しようとする信号データを示す送信データ信号Ｂを生成して変調回路１０２と発光部１２０とに対して出力し、さらに、搬送波Ｃを生成して変調回路１０２に対して出力する。
【００２３】
変調回路１０２は、制御部１０１から出力されてきた搬送波Ｃに送信データ信号Ｂを重畳させた送信信号Ｄを生成して、増幅回路１０３に対して出力する。増幅回路１０３は、変調回路１０２から出力されてきた送信信号Ｄをあらかじめ設定された増幅率で増幅した送信増幅信号Ｅを生成して、アンテナ１０４に対して出力する。アンテナ１０４は、増幅回路１０３からの送信増幅信号ＥをＲＦ信号Ｆとして外部に射出する。アンテナ１０４から射出されたＲＦ信号Ｆを受信した非接触ＩＣカード２００は、受信したＲＦ信号Ｆの搬送波により駆動用の電力を取得するとともに、該ＲＦ信号Ｆに含まれている信号データに応じて、非接触ＩＣカード２００内の負荷を切り替えて、負荷変動として、ＲＦ信号Ｆに重畳させて、非接触ＩＣカードリーダライタ１００に対して送り返す。
【００２４】
アンテナ１０４を介して非接触ＩＣカード２００からのＲＦ信号Ｆを受信すると、非接触ＩＣカードリーダライタ１００の受信回路１０５は、該ＲＦ信号Ｆに送信増幅信号Ｅとともに含まれている負荷変動を示す情報を抽出する受信復調動作を行い、非接触ＩＣカード２００からの受信データ信号Ｇとして制御部１０１に対して出力し、通信を終了する。
【００２５】
一方、非接触ＩＣカードリーダライタ１００の発光部１２０は、通信中状態を示す表示信号Ａにより点灯状態にした発光信号Ｈを出力させるとともに、しかる後に、制御部１０１から出力されてきた送信データ信号ＢのＯＮ／ＯＦＦに同期させて該発光信号Ｈの発光状態を点滅させた状態にし、点滅する発光信号Ｈとして、非接触ＩＣカードリーダライタ１００の外部に出力する。したがって、発光部１２０から出力される発光信号Ｈの点滅状態は、非接触ＩＣカードリーダライタ１００から送信しようとする信号データの送信タイミングと同期した状態で点滅することになり、外部に対して信号データの送信タイミングを通知していることになる。該発光部１２０に近接して配置された受光装置４００は、発光部１２０から出力される発光信号Ｈ（送信しようとする信号データを示す送信データ信号Ｂに同期して点滅する光信号）を受光すると、電気信号に変換して、非接触ＩＣカードリーダライタ１００のアンテナ１０４から射出されるＲＦ信号Ｆに含まれる信号データの送信タイミングに同期した信号を含む同期用信号Ｓとして測定器５００に対して送信する。
【００２６】
（実施形態の動作の説明）
次に、図１、図２に示した信号測定システムの動作について、図３および図４を参照しながら詳細に説明する。図３は、図１の非接触ＩＣカードリーダライタ１００から発光信号Ｈを出力する発光部１２０内の具体的な回路構成の一例を示す回路図である。ここで、発光信号Ｈは、非接触ＩＣカードリーダライタ１００から送信しようとする信号データの送信タイミングに同期して点滅することによって、前述したように、該信号データの送信タイミングを外部に通知している。
【００２７】
また、図４は、図１の非接触ＩＣカードリーダライタ１００の主要な部位から出力される各信号のタイミング関係を説明するためのタイムチャートである。つまり、図４（Ａ）は、アンテナ１０４から射出されるＲＦ信号Ｆのタイムチャートであり、図４（Ｂ）は、筐体１１０内部の制御部１０１から発光部１２０および変調回路１０２に対して出力される送信データ信号Ｂのタイムチャートであり、図４（Ｃ）は、筐体１１０内部の制御部１０１から発光部１２０に対して出力される表示信号Ａのタイムチャートであり、また、図４（Ｄ）は、発光部１２０から出力される発光信号Ｈのタイムチャートである。
【００２８】
まず、図３の発光部１２０の回路図を参照しながら、発光部１２０の動作の一例について詳細に説明する。一例として、図３に示す発光部１２０の回路構成においては、発光部１２０が、表示信号ＡによってＯＮ／ＯＦＦを切り替える表示信号スイッチ１２１、点滅する発光信号Ｈを外部に出力するＬＥＤ（Light  Emitting  Diode）１２２、送信データ信号ＢによってＯＮ／ＯＦＦを切り替える送信データ信号スイッチ１２３、を直列接続した構成からなっている。通信が開始される前の初期状態においては、制御部１０１から出力される表示信号Ａおよび送信データ信号ＢはいずれもＨｉｇｈ状態にあり、表示信号スイッチ１２１はＯＦＦ状態にあり、一方、送信データ信号スイッチ１２３はＯＮ状態にある。このため、初期状態においては、ＬＥＤ１２２には電流が流れることなく、発光信号Ｈは滅灯した状態にある。
【００２９】
次いで、通信開始時に達すると、表示信号ＡはＨｉｇｈからＬｏｗ状態に切り替えられて制御部１０１から出力され、表示信号スイッチ１２１はＯＮ状態に切り替わって、電源電圧ＶｃｃがＬＥＤ１２２の両端にかかって、ＬＥＤ１２２に電流が流れる状態になる。したがって、ＬＥＤ１２２から出力される発光信号Ｈは点灯した状態に切り替わる。
【００３０】
しかる後、送信しようとする信号データが発生して、制御部１０１から送信データ信号Ｂが出力されてくると、送信データ信号ＢのＨｉｇｈアクティブ時には、送信データ信号スイッチ１２３がＯＮされて、ＬＥＤ１２２には電流が流れるが、一方、送信データ信号ＢのＬｏｗアクティブ時には、送信データ信号スイッチ１２３がＯＦＦされて、ＬＥＤ１２２には電流が流れなくなる。したがって、ＬＥＤ１２２から出力される発光信号Ｈは、送信データ信号ＢのＨｉｇｈ、Ｌｏｗ状態に同期して、点滅することになる。ＬＥＤ１２２と送信データ信号スイッチ１２３との間には電流制限抵抗１２４が挿入してある。
【００３１】
通信が終了すると、表示信号ＡはＬｏｗからＨｉｇｈ状態に切り替えられて制御部１０１から出力されるので、表示信号スイッチ１２１はＯＮからＯＦＦ状態に切り替わり、ＬＥＤ１２２に電流が流れない状態になる。したがって、ＬＥＤ１２２から出力される発光信号Ｈは滅灯した状態に切り替わる。
【００３２】
次に、図４のタイムチャートを参照して、非接触ＩＣカードリーダライタ１００の主要な部位の各信号のタイミング関係についてさらに説明する。図４のタイムチャートにおいて、時刻ｔ０に達して通信を開始すると、図４（Ａ）に示すように、筐体１１０内の制御部１０１が生成した搬送波Ｃを変調増幅した状態のＲＦ信号Ｆがアンテナ１０４から射出されるとともに、図４（Ｃ）に示すように、筐体１１０内の制御部１０１から発光部１２０に対して出力される表示信号Ａが、ＨｉｇｈからＬｏｗ状態に切り替わって、表示信号スイッチ１２１がＯＮ状態になり、発光部１２０から出力される発光信号Ｈは、図４（Ｄ）に示すように、点灯状態に切り替わって外部に出力される。
【００３３】
しかる後、時刻ｔ１〜ｔ６において、制御部１０１は信号データを送信しようとして、図４（Ｂ）に示すように、制御部１０１から変調回路１０２に対して出力される送信データ信号ＢのＬｏｗ／Ｈｉｇｈ状態を切り替えると、該送信データ信号ＢのＬｏｗ／Ｈｉｇｈ状態に同期して、送信データ信号スイッチ１２３のＯＦＦ／ＯＮ状態が切り替わって、発光部１２０から出力される発光信号Ｈは、図４（Ｄ）に示すように、滅灯／点灯状態が切り替わる。すなわち、送信データ信号Ｂを送信する時刻ｔ１〜ｔ６においては、図４（Ｂ）、図４（Ｄ）に示すように、ＲＦ信号Ｆに含まれる信号データの送信タイミングに同期して、発光部１２０から出力される発光信号Ｈが点滅する。したがって、受光装置４００において発光信号Ｈの点灯から滅灯状態への切り替えを検知することによって、ＲＦ信号Ｆに含まれる信号データの測定を行うための同期用信号Ｓとして、測定器５００に対して出力することができる。
【００３４】
しかる後、時刻ｔ７において通信が終了すると、筐体１１０内の制御部１０１からは搬送波Ｃが出力されなくなり、図４（Ａ）に示すように、ＲＦ信号Ｆがアンテナ１０４から射出されなくなるとともに、図４（Ｃ）に示すように、筐体１１０内の制御部１０１から発光部１２０に対して出力される表示信号Ａは、ＬｏｗからＨｉｇｈ状態に切り替わって、表示信号スイッチ１２１がＯＦＦ状態になり、発光部１２０から出力される発光信号Ｈは、図４（Ｄ）に示すように、滅灯状態に切り替わって外部に出力される。なお、図４のタイムチャートは、非接触ＩＣカードからの信号データに関しては図示していない。また、上記実施例では、非接触ＩＣカードリーダライタからの信号データの送信タイミングで、発光部が滅灯しているが、逆に、非接触ＩＣカードリーダライタからの信号データの送信タイミングで、発光部が点灯するものであってもよい。
【００３５】
以上に説明したように、非接触ＩＣカードリーダライタ１００の筐体１１０外面に、送信しようとする信号データ（送信データ信号Ｂ）の送信タイミングに同期して発光信号Ｈを点滅させて外部に出力する発光部１２０を備えることによって、筐体１１０内部の回路に直接アクセスすることなく、信号データの送信タイミングを外部から容易に取得することが可能になる。さらには、該発光部１２０に近接する位置に、測定器５００に接続された受光装置４００を配置して、該受光装置４００において、発光部１２０が出力する発光信号Ｈを受光して、信号データの送信タイミングを抽出するためのトリガとなる同期用信号Ｓを生成して測定器５００に対して出力することも可能としており、ＲＦ信号Ｆに含まれる信号データを測定する測定器５００において、ＲＦ信号Ｆに含まれている信号データを正確なタイミングで抽出して、非接触ＩＣカードリーダライタ１００からの通信不良の有無を的確に判定することができる。
【００３６】
なお、図３に示した表示部１２０の回路構成においては、発光部１２０から外部に発光信号Ｈを出力するための発光素子としてＬＥＤ（Light  Emitting  Diode）を用いる場合について例示したが、ＬＥＤの代わりに、電球や有機ＥＬ（Organic  Electro-Luminescence）等を用いることにしても良い。
【００３７】
（実施形態の効果の説明）
以上に詳細に説明したように、本実施形態においては、以下のような効果が得られる。
【００３８】
第１に、非接触ＩＣカードリーダライタ１００から送信する信号データの送信タイミングの取得に当たって、該信号データの測定環境に被測定物以外の構成を新たに追加する必要がないので、非接触ＩＣカードリーダライタ１００のアンテナ１０４から送信されるＲＦ信号Ｆに影響を与えることなく、非接触ＩＣカードリーダライタ１００と非接触ＩＣカード２００との間で送受信される信号データの測定を行うことができる。
【００３９】
第２に、非接触ＩＣカードリーダライタ１００から送信する信号データの送信タイミングを通知する情報を発光部１２０からの発光信号Ｈとして非接触ＩＣカードリーダライタ１００の筐体１１０の外部に出力しているので、非接触ＩＣカードリーダライタ１００の筐体１１０を分解することなく、筐体１１０の外部からであっても信号データの送信タイミングを容易に取得することができる。
【００４０】
第３に、非接触ＩＣカードリーダライタ１００から送信する信号データの送信タイミングを通知する情報を発光部１２０からの発光信号Ｈとして非接触ＩＣカードリーダライタ１００の筐体１１０の外部に出力しているので、非接触ＩＣカードリーダライタ１００の製造者以外の利用者であっても信号データの送信タイミングを容易に取得することができる。
【００４１】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００４２】
Ａ          表示信号
Ｂ          送信データ信号
Ｃ          搬送波
Ｄ          送信信号
Ｅ          送信増幅信号
Ｆ          ＲＦ信号
Ｇ          受信データ信号
Ｈ          発光信号
Ｓ          同期用信号
Ｖｃｃ      電源電圧
１００      非接触ＩＣカードリーダライタ
１０１      制御部
１０２      変調回路
１０３      増幅回路
１０４      アンテナ
１０５      受信回路
１１０      筐体
１２０      発光部
１２１      表示信号スイッチ
１２２      ＬＥＤ
１２３      送信データ信号スイッチ
１２４      電流制限抵抗
２００      非接触ＩＣカード
３００      測定コイル
４００      受光装置
５００      測定器
【図１】
2015041329.tif 000003
【図２】
2015041329.tif 000004
【図３】
2015041329.tif 000005
【図４】
2015041329.tif 000006
【図５】
2015041329.tif 000007